【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
炊飯器本体の持ち運び用のハンドルに着脱自在に取付け可能な取付け部と、しゃもじ把手部の抜き差し方向に開放してしゃもじを保持するしゃもじ保持部とを備え、前記取付け部は、前記しゃもじ保持部の開口部の一端に弾性体で構成された壁面を有し、前記壁面より略垂直に設けた第１の爪と前記第１の爪に略並行に設けた第２の爪を具備し、前記ハンドルの端面を前記第１の爪と前記第２の爪で挟み、前記第１の爪の幅を壁面の幅と略同一とするとともに、前記第２の爪幅は前記第１の爪の幅より狭くしたしゃもじ受け具。
【請求項２】
第１の爪および第２の爪は、Ｌ字形状でそれぞれハンドルに引っ掛ける構成とした請求項１記載のしゃもじ受け具。
【請求項３】
第１の爪の長さは、第２の爪の長さより長くした請求項１記載のしゃもじ受け具。
【請求項４】
壁面の少なくとも一部を薄肉とした請求項１記載のしゃもじ受け具。
【手続補正２】
【補正対象書類名】明細書
【補正対象項目名】全文
【補正方法】変更
【補正の内容】
【発明の詳細な説明】
【発明の名称】しゃもじ受け具
【技術分野】
【０００１】
本発明は、炊飯器に着脱自在に取付け可能で、しゃもじを保持するしゃもじ受け具に関するものである。
【背景技術】
【０００２】
従来、炊飯器を使用する際、しゃもじはご飯をよそうのに必要な部品であり、ご飯をよそった後の置き方として、しゃもじを直接テーブルなどの上に置くとご飯粒がテーブル上に付着するなど不衛生のため、炊飯器本体に付随したしゃもじ受け具を用いるようにしている（例えば、特許文献１参照）。
【０００３】
これは、しゃもじにしゃもじ受け具を取付け、しゃもじとしゃもじ受け具を一体として取り扱い、しゃもじ受け具付しゃもじを炊飯器本体に回動自在に取付けられている持ち運び用のハンドルに固定していた。
【特許文献１】特開２００３−３１０４５７号公報
【発明の開示】
【発明が解決しようとする課題】
【０００４】
しかしながら、このような従来の構成では、しゃもじ受け具をしゃもじに取付け一体としているため、しゃもじ受け具のハンドルへの固定は容易に着脱できる必要があり、そのことによりハンドルに固定しているときの安定性が低いものである。そのため、しゃもじ受け具付しゃもじをハンドルに傾けて取付けた場合などには脱落する場合があった。
【０００５】
また、炊飯器本体をハンドルによって持ち運ぶときに、ハンドルをおよそ水平の収納状態からおよそ垂直の使用状態へ回動させるのであるが、ハンドルを回動させたとき、しゃもじ受け具付しゃもじがハンドルから脱落する場合があった。
【０００６】
本発明は上記従来の課題を解決するもので、デザイン性を確保しつつ、かつ操作性のよいしゃもじ受け具を提供することを目的としている。
【課題を解決するための手段】
【０００７】
本発明は上記目的を達成するために、炊飯器本体の持ち運び用のハンドルに着脱自在に取付け可能な取付け部と、しゃもじ把手部の抜き差し方向に開放してしゃもじを保持するしゃもじ保持部とを備え、取付け部は、しゃもじ保持部の開口部の一端に弾性体で構成された壁面を有し、壁面より略垂直に設けた第１の爪とこの第１の爪に略並行に設けた第２の爪を具備し、ハンドルの端面を第１の爪と第２の爪で挟み、第１の爪の幅を壁面の幅と略同一とするとともに、第２の爪幅は第１の爪の幅より狭くしたものである。
【０００８】
これにより、しゃもじ保持部からしゃもじ把手部を抜き差しするだけでしゃもじを容易に着脱することができ、炊飯器のデザイン性を確保しつつ、しゃもじの着脱操作性のよいしゃもじ受け具とすることができる。また、しゃもじ受け具は第１の爪および第２の爪を炊飯器本体の持ち運び用のハンドルにはさみつけることで着脱をきわめて簡便に行うことができる。さらに、ハンドルに取り付ける際、傾斜した状態で取付けても低い着力で取付けることができる。また、第２の爪は少なくともハンドルの略中央を１点で保持しても、しゃもじ受け具を前後に動かそうとした場合、第１の爪および第２の爪が広がる方向に力が働くため、しゃもじ受け具のがたつきを抑えることができる。
【発明の効果】
【０００９】
本発明のしゃもじ受け具は、炊飯器のデザイン性を確保しつつ、しゃもじの着脱操作性および炊飯器への着脱性を向上することができる。
【発明を実施するための最良の形態】
【００１０】
第１の発明は、炊飯器本体の持ち運び用のハンドルに着脱自在に取付け可能な取付け部と、しゃもじ把手部の抜き差し方向に開放してしゃもじを保持するしゃもじ保持部とを備え、前記取付け部は、前記しゃもじ保持部の開口部の一端に弾性体で構成された壁面を有し、前記壁面より略垂直に設けた第１の爪と前記第１の爪に略並行に設けた第２の爪を具備し、前記ハンドルの端面を前記第１の爪と第２の爪で挟む構成としたものであり、しゃもじ保持部からしゃもじ把手部を抜き差しするだけでしゃもじを容易に着脱することができ、炊飯器のデザイン性を確保しつつ、しゃもじの着脱操作性のよいしゃもじ受け具とすることができる。また、しゃもじ受け具は第１の爪および第２の爪を炊飯器本体の持ち運
び用のハンドルにはさみつけることで着脱をきわめて簡便に行うことができる。
【００１１】
さらに、第１の爪の幅を壁面の幅と略同一とするとともに、第２の爪幅は第１の爪の幅より狭くしたものであり、第１の爪とハンドルの接触部分を広くし、ハンドル装着後のしゃもじ受け具のがたつきを抑えるとともに、第２の爪の保持部幅は第１の爪の幅より狭くすることにより、ハンドルに取り付ける際、傾斜した状態で取付けても低い着力で取付けることができる。また、第２の爪は少なくともハンドルの略中央を１点で保持しても、しゃもじ受け具を前後に動かそうとした場合、第１の爪および第２の爪が広がる方向に力が働くため、しゃもじ受け具のがたつきを抑えることができる。
【００１２】
第２の発明は、上記第１の発明において、第１の爪および第２の爪は、Ｌ字形状でそれぞれハンドルに引っ掛ける構成としたものであり、第１の爪および第２の爪によりハンドルに容易に着脱することができ、ハンドルに着脱する際にかかる着脱力を低減することができる。
【００１３】
第３の発明は、上記第１の発明において、第１の爪の長さは、第２の爪の長さより長くしたものであり、ハンドルに着脱する際にかかる着脱力を低減できるとともに、しゃもじを着脱する場合に外れにくくすることができる。
【００１４】
第４の発明は、上記第１の発明において、壁面の少なくとも一部を薄肉としたものであり、ハンドルに着脱する際、壁面が変形し第１の爪と第２の爪の距離が広がり、ハンドルへの着脱力をより低減することができる。  
【００１５】
以下、本発明の一実施の形態について、図面を参照しながら説明する。なお、この実施の形態によって本発明が限定されるものではない。
【００１６】
（実施の形態）
図１は本発明の一実施の形態におけるしゃもじ受け具とこのしゃもじ受け具に保持するしゃもじの斜視図、図２は同しゃもじ受け具を炊飯器本体に取付けしゃもじを保持した状態の斜視図、図３は同しゃもじ受け具を炊飯器に取付けた状態の斜視図、図４は同しゃもじ受け具に保持したしゃもじの取り出し方向を示す一部切欠した側面図、図５は同しゃもじ受け具をハンドルに取り付けるときの一部切欠した側面図、図６は同しゃもじ受け具を取付けたハンドルを立ち上げた状態を示す斜視図、図７はハンドル立ち上げ時の同しゃもじ受け具としゃもじとの関係を示す一部切欠した側面図をそれぞれ示すものである。
【００１７】
図２および図３に示すように、炊飯器本体１は、蓋２を開閉自在に蓋２を軸支しており、この炊飯器本体１には炊飯器本体１を運搬するときに使用するＵ字形状の持ち運び用のハンドル３を前後方向に回動自在に軸支している。ハンドル３は、収納時にはハンドル把手部４を炊飯器本体１の後方に回し蓋２の開閉に干渉しない位置に収め、使用時にはハンドル把手部４を上方に立ち上げ使用する。
【００１８】
しゃもじ５は、ポリプロピレンなどの樹脂で成形しており、ご飯に直接触れるへら部８と使用者が掴むしゃもじ把手部１５とにより構成し、しゃもじ把手部１５はしゃもじ５が使いやすいようへら部８の方向が定まるよう断面形状がおよそ楕円形状やコ字形状、または長方形をしており、さらに、へら部８の幅方向としゃもじ把手部１５の断面の長手方向を合せているのが一般的である。本実施の形態では、しゃもじ把手部１５の断面形状はおよそ長方形で角に丸みを設け持ちやすい形状としている。このときのしゃもじ５は、へら部８はご飯をよそうため幅が広く、しゃもじ把手部１５を持ちやすくするため細くなっており、しゃもじ５の重心２０は、図７に示すように、へら部８の根元になっている。
【００１９】
しゃもじ５を保持するしゃもじ受け具６は、ポリプロピレンなどの弾性力のある樹脂で成形し、図１に示すように、しゃもじ受け具６をハンドル３に固定するための取付け部７と、しゃもじ把手部１５をその下方より保持する有底筒形状のしゃもじ保持部９により構成し、ハンドル３に着脱自在に取付けている。ここで、取付け部７は、しゃもじ保持部９の開口部の一端に壁面１０を設け、この壁面１０に略垂直に設けた第１の爪１１と第１の爪１１に略並行に設けた第２の爪１２とを具備し、ハンドル３の端面を第１の爪１１と第２の爪１２とで挟む構成としている。
【００２０】
また、図４に示すように、第１の爪１１および第２の爪１２をＬ字形状に形成し、それぞれハンドル３に引っ掛ける構成としている。さらに、第１の爪１１の長さＣは第２の爪１２の長さＤより長くしている。
【００２１】
さらに、壁面１０の少なくとも一部を薄肉としている。加えて、第１の爪１１の幅をしゃもじ保持部９の幅と略同一とすることで、第１爪１１とハンドル３の接触部分を広くし、第２の爪の保持部幅は第１の爪１１の幅より狭くしている（図１参照）。
【００２２】
また、図７に示すように、有底筒状のしゃもじ保持部９は、筒の形状はしゃもじ５の方向が定まるようしゃもじ把手部８の断面形状に合せて四角に丸みを持たせた長方形とし、しゃもじ５が不安定にならないようしゃもじ５のしゃもじ受け具６への取付け時の前後左右の傾きが１５度以内になるようしゃもじ把手部８とのクリアランスを小さくした形状としている。このときのしゃもじ保持部９の深さはしゃもじ把手部８の長さの１／３程度としている。また、しゃもじ保持部９の上方の開口部１３はしゃもじ把手部８を挿入しやすいよう底部１２より大きな形状とし、しゃもじ保持部９の底部１２には穴１４を設けている。
【００２３】
上記構成において動作、作用を説明する。炊飯器本体１にしゃもじ受け具６を取付ける場合には、まず、しゃもじ受け具６のしゃもじ保持部９を持ち、図５に示すように、第１の爪１１をハンドル３の上端部にひっかけた後、しゃもじ保持部９を炊飯器本体１側に押し込むことで、第２の爪１２がハンドル３に滑り、壁面１０が変形し第１の爪１１と第２の爪１２の距離が開き、第２の爪１２がハンドル３の下端を乗り越え、しゃもじ受け具６は第１の爪１１と第２の爪１２がハンドル３を挟み込み固定される。このとき、しゃもじ保持部９の手で押し込む部分が力点１９、第１の爪１１とハンドル３の接点が支点１７、第２の爪１２とハンドル３の接触部が作用点１８となり、てこの原理で軽い装着力でしゃもじ受け具６を軽い力で簡単に取付けることができる。また、しゃもじ受け具６を取り外すときは、炊飯器本体１から離れる方向に引くことにより、しゃもじ受け具６の取付け工程と逆の工程で軽い離脱力で簡単に取り外すことができる。
【００２４】
第１の爪１１をＬ字形状にすることにより、第１の爪１１とハンドル３の接触部である支点１７の位置を安定化させることができるため、しゃもじ受け具６を取り付けるときの操作力を安定化させることができる。また、第２の爪１２をＬ字形状にすることにより、しゃもじ受け６をハンドル３取付け後は縦面でハンドル３を保持できるため、しゃもじ受け６のがたつきを抑えることができる。
【００２５】
また、始めに第１の爪１１をハンドル３の上端部にひっかけるため、第１の爪１１の長さを長くしても装着力が大きくなることはない。また、しゃもじ５を図４のＡ方向に取り出した場合、しゃもじ受け具６に離脱力がかかるが、第１の爪が長いため容易に外れることはない。
【００２６】
また、しゃもじ５を図４のＢ方向に取り出した場合は、しゃもじ５が壁面１０に当たるため第２の爪１２に直接しゃもじ受け具６の離脱力がかからないため、しゃもじ５を着脱
する場合にしゃもじ受け具６が外れにくくなる。
【００２７】
しゃもじ受け具６を外すときは、しゃもじ受け具６のしゃもじ保持部９を持ち、しゃもじ受け具６を取付けた時の逆方向に引き出すことで、第２の爪１２に直接しゃもじ受け具６の離脱力がかかり、また掛代が少ないため、容易にしゃもじ受け具６を外すことができる。
【００２８】
さらに、壁面１０の少なくとも一部を薄肉とすることにより、しゃもじ受け具６を着脱する際、壁面１０が容易に変形し、第１の爪１１、第２の爪１２の距離が広がりしゃもじ受け具６の着脱力をより低減することができる。壁面１０を薄くしても、しゃもじ５を図４のＡ方向に取り出した場合、壁面１０はハンドル３に押し付けられる方向に力がかかるため壁面１０が薄くなってもしゃもじ受け具６が外れやすくなることはない。また、しゃもじ５を図４のＢ方向に取り出した場合は、しゃもじ５が壁面１０に当たるため、壁面１０に引っ張り力が直接かかることがないため、この場合も壁面１０が薄くなってもしゃもじ受け具６が外れやすくなることはない。
【００２９】
加えて、第１の爪１１の幅をしゃもじ保持部９の幅と略同一とすることで、第１の爪１１とハンドル３の接触部分を広くすることができ、ハンドル３に装着した後のしゃもじ受け具のがたつきを抑えることができるとともに、第２の爪１２の幅は第１の爪１１の幅より狭くすることにより、しゃもじ受け具６を取り付ける際、傾斜した状態で取付けても低い着力で取付けることができる。また、第２の爪１２は少なくともハンドル３の略中央を１点で保持しても、しゃもじ受け具６を前後に動かそうとした場合、第１の爪１１および第２の爪１２が広がる方向に力が働くため、しゃもじ受け具６のがたつきを抑えることができる。
【００３０】
しゃもじ５のしゃもじ把手部８を上方よりしゃもじ受け具６のしゃもじ保持部９に方向を合せ差し込むことにより、しゃもじ５を保持することができる。このとき、しゃもじ５は、しゃもじ５の重心２０がへら部８の根元であり、へら部８はバランスが悪くなるが、しゃもじ保持部９によりしゃもじ５の取付け時の傾きを規制していることにより、しゃもじ５のバランスを崩すことなく安定した状態で保持することができる。
【００３１】
また、しゃもじ５をしゃもじ受け具６から取り外すときは、しゃもじ把手部８の１／３がしゃもじ保持部９で囲われ２／３がしゃもじ保持部９より露出しているので、しゃもじ把手部１５を容易に掴み取り外すことができる。さらに、しゃもじ保持部９の底部１２には穴１４を設けていることにより、しゃもじ受け具６を手入れするとき、穴１４が水抜き穴の役割を果たし、しゃもじ保持部９に洗浄水が残らず衛生的に保つことができる。
【００３２】
また、ハンドル３にしゃもじ受け具６によりしゃもじ５を取付けた状態で炊飯器本体１の持ち運ぶときは、図６に示すように、ハンドル３を収納状態から使用状態の上方に立ち上げることにより、しゃもじ保持部９が上方への開口状態からおよそ水平方向の開口状態になるが、しゃもじ保持部９をしゃもじ把手部１５の断面形状に合せ、かつしゃもじ把手部１５とのクリアランスを小さくし、また、しゃもじ保持部９の深さをしゃもじ５の重心２０よりしゃもじ把手部１５側になるようしゃもじ把手部１５の１／３の深さとしていることにより、図７に示すように、しゃもじ保持部９がおよそ水平の状態になった場合においても、重心２０がしゃもじ５が脱落しようとする力点２７となり、開口部１３が支点２９となり、しゃもじ保持部９の内面が作用点２８となってしゃもじ把手部８を支えることになり、しゃもじ５はしゃもじ保持部９から脱落することはない。
【００３３】
また、しゃもじ５をポリプロピレンなどの樹脂としたが、しゃもじ５は樹脂に限るものではなく、木材や樹脂とアルミニウムやステンレスの金属との複合構成であっても、何ら
問題なく同様の効果が得られるものである。
【００３４】
また、しゃもじ保持部９の深さをしゃもじ把手部１５の１／３としたが、しゃもじ保持部９の深さはしゃもじ把手部８の１／３に限るものではなく、しゃもじ５の重心２７よりしゃもじ把手部８側でしゃもじ把手部８を容易に掴むことのできる深さであれば同様の効果が得られるものである。
【００３５】
さらに、しゃもじ受け具６のしゃもじ保持部９は、有底筒形状としているが、これに限らず、しゃもじ把手部の取付け方向に開放してしゃもじを保持するものであればよい。例えば、上下に環状の保持部を備えた全体として筒形状でないものであってもよい。
【産業上の利用可能性】
【００３６】
以上のように、本発明にかかるしゃもじ受け具は、炊飯器のデザイン性を確保しつつ、しゃもじの着脱操作性および炊飯器への着脱性を向上することができるので、炊飯器に着脱自在に取付け可能なしゃもじ受け具として有用である。
【図面の簡単な説明】
【００３７】
【図１】（ａ）本発明の一実施の形態におけるしゃもじ受け具の斜視図（ｂ）同しゃもじ受け具に保持するしゃもじの斜視図
【図２】同しゃもじ受け具を炊飯器本体に取付けしゃもじを保持した状態の斜視図
【図３】同しゃもじ受け具を炊飯器に取付けた状態の斜視図
【図４】同しゃもじ受け具に保持したしゃもじの取り出し方向を示す一部切欠した側面図
【図５】同しゃもじ受け具をハンドルに取り付けるときの一部切欠した側面図
【図６】同しゃもじ受け具を取付けたハンドルを立ち上げた状態を示す斜視図
【図７】ハンドル立ち上げ時の同しゃもじ受け具としゃもじとの関係を示す一部切欠した側面図
【符号の説明】
【００３８】
１  炊飯器本体
３  ハンドル
５  しゃもじ
７  取付け部
９  しゃもじ保持部
１０  壁面
１１  第１の爪
１２  第２の爪